(57)【要約】【課題】地上デジタル放送等を受信することができるテレビジョン受信装置を提供する。【解決手段】テレビジョン受信装置５１のキャビネットにおいて、表示部５２が備えられる正面部６１を基準に、例えば背面６３と左側面６２のように互いに直交する第１の面および第２の面に、それぞれ第１のアンテナ４１および第２のアンテナ４２を配置する。第１のアンテナ４１および第２のアンテナ４２からの出力を選択または合成して、所定の信号処理を施して映像を表示する。直交する第１および第２の面に第１および第２のアンテナを配置することでの指向性が広がり、複数の放送局から送信されるあらゆる方向からの放送波を受信することができる。【選択図】  図５
2006060558.tif 000002
【特許請求の範囲】
【請求項１】
地上デジタル放送を受信するためのテレビジョン受信装置において、
キャビネットの互いに直交する第１および第２の面に第１および第２のアンテナを配置し、
上記第１のアンテナおよび第２のアンテナからの出力を選択または合成することにより地上デジタル放送を受信するようにしたことを特徴とするテレビジョン受信装置。
【請求項２】
地上デジタル放送を受信するためのテレビジョン受信装置において、
キャビネットの互いに直交する第１および第２の面に第１および第２のアンテナを配置し、
選局された放送局に応じて上記第１のアンテナおよび第２のアンテナの一方の出力を選択することにより地上デジタル放送を受信するようにしたことを特徴とするテレビジョン受信装置。
【請求項３】
上記第１および第２のアンテナは、ループアンテナである請求項１または請求項２に記載のテレビジョン受信装置。
【請求項４】
上記第１および第２の面は、キャビネットの背面および側面である請求項１または請求項２に記載のテレビジョン受信装置。
【発明の詳細な説明】
【技術分野】
【０００１】
この発明は、テレビジョン受信装置、特に地上デジタル放送の受信に好適なテレビジョン受信装置に関する。
【背景技術】
【０００２】
従来、わが国の地上アナログ放送は、ＮＴＳＣ（National Television System Committee）方式による放送が行われていた。図１は、地上アナログ放送で用いられる周波数帯を示したものである。地上アナログ放送では、ＶＨＦ帯（９０Ｈｚ〜２２０Ｈｚ）１１とＵＨＦ帯（４７０Ｈｚ〜７７０Ｈｚ）１２の周波数帯が用いられ、各チャンネルに所定の周波数が割り当てられていた。
【０００３】
ところで近年、わが国では衛星デジタル放送、ＣＳ（Communication Satellite）デジタル放送が開始され、さらに一部地域では、地上デジタル放送が開始されている。下記特許文献１には、デジタル放送において、広帯域でも安定して放送を受信できるアンテナ装置を持つ受信システムに関する発明が記載されている。
【０００４】
【特許文献１】特開２００１−３０８６３６号公報
【発明の開示】
【発明が解決しようとする課題】
【０００５】
しかしながら、上述したような従来の技術には、以下のような問題点があった。地上アナログ放送に用いられるＶＨＦ用アンテナ、ＵＨＦ用アンテナ、ＵＶ共用アンテナは、受信特性や、ＶＨＦの波長の長さの影響もあり、受信アンテナを小型化するには一定の限界があった。
【０００６】
また、地上アナログ放送では、図２に示すように、送信所２１からの電波が例えば家屋に設置されている受信アンテナ２２に対して直接届く経路（Ｄ１）と、ビルなどの建造物２３で反射して届く経路（Ｄ２）が異なるために映像が二重に見えるゴーストやフラッター障害、フェージングによる伝搬ひずみの問題など受信障害も多い。そのため、地上アナログ放送の受信アンテナとして用いられる八木・宇田アンテナは、ゴースト対策のために反射器の本数を多くしたりするため、アンテナを小型化することが難しい。従って、小型のアンテナを用いて安定かつ十分な受信特性を実現できるテレビジョン受信装置を実現することは困難であった。
【０００７】
また、上記特許文献１に記載されているデジタル放送受信用の受信アンテナ装置は、受信機の外部に備えられた構成（図５および図６参照）とされており、かつ複数のアンテナ部を用いるため受信アンテナ装置を備える一定のスペースを必要とした。
【０００８】
従って、この発明の目的は、アンテナを小型化し、テレビジョン受信装置のキャビネットの直交する面に第１および第２のアンテナを配置することでスペースの有効活用を図ることができ、かつ地上デジタル放送を中心とする放送を安定的に受信できるテレビジョン受信装置を提供することにある。
【課題を解決するための手段】
【０００９】
上述した課題を解決するために、請求項１に係る発明は、地上デジタル放送を受信するためのテレビジョン受信装置において、キャビネットの互いに直交する第１および第２の面に第１および第２のアンテナを配置し、第１のアンテナおよび第２のアンテナからの出力を選択または合成することにより地上デジタル放送を受信するようにしたことを特徴とするテレビジョン受信装置である。
【００１０】
請求項２に係る発明は、地上デジタル放送を受信するためのテレビジョン受信装置において、キャビネットの互いに直交する第１および第２の面に第１および第２のアンテナを配置し、選局された放送局に応じて第１のアンテナおよび第２のアンテナの一方の出力を選択することにより地上デジタル放送を受信するようにしたことを特徴とするテレビジョン受信装置である。
【発明の効果】
【００１１】
この発明によれば、放送局からの放送を安定して受信することができるテレビジョン受信装置を実現することができる。また、アンテナがテレビジョン受信装置のキャビネットの直交する面に配置されているため、アンテナを設置する必要がなくなる。従って、今まで屋外や室内に設置されていたアンテナのスペースを有効活用することができる。
【００１２】
また、この発明によれば、テレビジョン受信装置の小型化を実現することができ、さらには、複数の送信所からの放送に対しても最良の受信特性を確保することができる。
【発明を実施するための最良の形態】
【００１３】
以下、図面を参照しながらこの発明の一実施形態について説明する。この発明のテレビジョン受信装置は、主として地上デジタル放送を受信するため、はじめに図３を用いて地上デジタル放送で用いられる変調方式であるＯＦＤＭ（Orthogonal Frequency Division Multiplexing）について説明する。ＯＦＤＭは、狭い帯域をもつ搬送波を地上波１チャンネルの伝送帯域幅全体に多数配置する変調方式である。
【００１４】
地上アナログ放送では、図３Ａに示すように１チャンネルの帯域幅は６ＭＨｚであり、地上デジタル放送においても６ＭＨｚの帯域幅が使われる。１チャンネルの帯域幅を１４個等分したＯＦＤＭブロック（以下、適宜、セグメントと称する）を１３個連ねて一つの送信信号を構成する。なお、１セグメントの帯域幅は、約４２９ｋＨｚとなる。
【００１５】
送信信号を構成する１３のセグメントは、セグメント毎に変調方式や誤り訂正符号率を決定することができ、また複数のセグメントを合わせてひとつの階層を形成し、最大３階層まで設定して階層伝送を行うこともできる。例えば、図３Ｂに示すように、固定受信用信号と移動受信用信号を強さの異なる階層で伝送することができ、固定受信ではハイビジョンを伝送する伝送容量を確保するために６４ＱＡＭ(Quadrature Amplitude Modulation)などの変調方式を用い、移動受信では、移動体での受信を良好にするために、伝送路における信号の劣化に強いＤＱＰＳＫ（Differential Quadrature Phase Shift Keying）などの変調方式を用いるなどのように変調方式を設定することができる。
【００１６】
上述したＯＦＤＭでは、アナログ放送の問題点でもあったマルチパスやフェージング妨害に強く、ゴーストが起きないなどの利点があり、アンテナの小型化にも寄与する。また、地上デジタル放送では誤り訂正技術を採用しているため、同一のＣＮ（搬送波対雑音比）での地上アナログ受信と比較すると、アナログ受信では画面にノイズが見られる受信レベルであっても、デジタル受信では画面が鮮明となる。
【００１７】
ところで、地上デジタル放送では、図１に示した周波数帯域のうちＵＨＦ帯１２が用いられる。従って、地上デジタル放送の受信アンテナは、ＶＨＦ帯およびＵＨＦ帯を用いる地上アナログ放送の受信アンテナより小型化することができ、テレビジョン受信装置のキャビネットの外面に配置したり、テレビジョン受信装置に内蔵したりすることができる。
【００１８】
図４Ａは、この一実施形態におけるアンテナ３１を示す。この一実施形態では、アンテナ３１をループアンテナとして説明するが、他のスロットアンテナなどの異なるタイプのアンテナを適用することも可能である。
【００１９】
地上デジタル放送におけるＵＨＦ帯１２の中心周波数を約６００ＭＨｚとすると、ループアンテナ３１の直径は約１６ｃｍと小型化することができる。また、図４Ｂに示すように、ループアンテナ３１は、上下方向Ｌ１と、ループ面に対する垂直方向Ｌ２に対して指向性を有する。
【００２０】
図５Ａは、図４Ａおよび図４Ｂを用いて説明したループアンテナ３１と同様のループアンテナ４１およびループアンテナ４２をテレビジョン受信装置５１に適用した例を示す。なお、図５Ａおよび図５Ｂは、ループアンテナ４１およびループアンテナ４２のテレビジョン受信装置５１における配置を示したものであり、他の構成の図示は適宜、省略する。
【００２１】
テレビジョン受信装置５１のキャビネットの各面について、表示部（映像出力装置）５２が備えられる面を正面部６１とし、正面部６１を基準にそれぞれ左側面６２、背面６３、右側面６４、底面６５、上面６６とする。
【００２２】
この一実施形態では、テレビジョン受信装置５１に内蔵する形で、左側面６２にループアンテナ４１を、背面６３にループアンテナ４２をそれぞれ配置する。キャビネットの左側面６２および背面６３の外面（表面）にループアンテナ４１およびループアンテナ４２を配置することもできるが、外面への配置では、ループアンテナによる突出した箇所ができるため、内蔵する方が好ましい。
【００２３】
図５Ｂは、図５Ａに示したループアンテナ４１およびループアンテナ４２の配置におけるそれぞれのアンテナの指向性を示したものである。ループアンテナ４１およびループアンテナ４２によるアンテナの指向性は、垂直方向の指向性Ｌ３、水平方向の指向性Ｌ４およびＬ５となり、複数の送信所から送信されるあらゆる方向からの放送波の受信が可能となる。
【００２４】
図５Ｂに示すループアンテナの指向性を実現するためには、キャビネットの直交する面にループアンテナを配置することが必要である。例えば、上述した例では、左側面６２および背面６３にループアンテナ４１およびループアンテナ４２を配置したが、他にも、例えば背面６３と右側面６４や、上面６６と左側面６２または右側面６４にそれぞれループアンテナを配置してもよい。
【００２５】
次に、ループアンテナ４１およびループアンテナ４２を適用したテレビジョン受信装置５１の構成について図６を用いて説明する。テレビジョン受信機５１は、主として地上デジタル放送を受信するが、地上アナログ放送や衛星デジタル放送を受信できる構成としてもよい。この一実施形態におけるテレビジョン受信機５１は、地上デジタル放送に加え、地上アナログ放送および衛星デジタル放送も受信できる構成を有するものとして説明する。
【００２６】
ループアンテナ４１およびループアンテナ４２で受信された電波の出力信号は、セレクタ７１に供給される。セレクタ７１では、ループアンテナ４１およびループアンテナ４２のどちらアンテナの受信感度が良いかが判別され、受信感度のよいループアンテナからの出力信号が選択される。
【００２７】
なお、ループアンテナ４１およびループアンテナ４２からそれぞれ出力される出力信号の選択は、図７に示す構成を用いてもよい。ループアンテナ４１からの出力信号は、乗算器９１に供給され、所定の係数ｋ（但しｋは０≦ｋ≦１とする）が乗じられ、加算器９３に供給される。また、ループアンテナ４２からの出力信号は、乗算器９２に供給され、所定の係数（１−ｋ）が乗じられ、加算器９３に供給される。加算器９３では、乗算器９１および乗算器９２からの出力信号が加算され、加算器９３の出力がセレクタ７１に供給される。ユーザは、受信中にｋを変化させることにより最良の受信状態となるｋを設定することができる。
【００２８】
セレクタ７１で選択または合成された放送信号は、デジタルチューナ７３に供給される。デジタルチューナ７３では、入力された地上デジタル放送のＵＨＦ帯（４４０ＭＨｚ〜７７０ＭＨｚ）の中の所望のチャンネルの周波数が、所定の周波数、例えば５７ＭＨｚの中間周波信号に変換される。
【００２９】
なお、ＶＨＦ帯（９０ＭＨｚ〜２２０ＭＨｚ）およびＵＨＦ帯（４４０ＭＨｚ〜７７０ＭＨｚ）で送信される地上アナログテレビジョンをアンテナ７４で受信し、デジタルチューナ７３にアナログ入力端子を設け、地上アナログテレビジョン放送を受信する構成とすることも可能とされている。この一実施形態では、テレビジョン受信装置５１の構成を地上アナログテレビジョン放送も受信できる構成として説明しているため、デジタルチューナ７３を地上アナログ／デジタルチューナ７３と称する。
【００３０】
ＶＨＦ帯（９０ＭＨｚ〜２２０ＭＨｚ）およびＵＨＦ帯（４４０ＭＨｚ〜７７０ＭＨｚ）で送信される地上アナログテレビジョン放送の受信時には、地上アナログ／デジタルチューナ７３からの中間周波信号は、ＮＴＳＣ用の映像／音声復調部７５に供給され復調されて、映像信号Ｓ１および音声信号Ｓ２が得られ、映像信号Ｓ１は映像用の切換部７６の一方の入力に供給され、音声信号Ｓ２は音声用の切換部７７の一方の入力に供給される。
【００３１】
ＵＨＦ帯（４４０ＭＨｚ〜７７０ＭＨｚ）で送信される地上デジタルテレビジョン放送の受信時には、地上アナログ／デジタルチューナ７３からの中間周波信号は、ＯＦＤＭ復調部８４に供給されてＯＦＤＭ信号が復調され、ＭＰＥＧのトランスポートストリームＴＳ１が得られる。このトランスポートストリームＴＳ１は、トランスポートストリーム用の切換部８５の一方の入力に供給される。
【００３２】
さらに、この一実施形態におけるテレビジョン受信装置５１は、衛星デジタル放送も受信可能とされている。ＳＨＦ帯（１２ＧＨｚ）で送信される衛星デジタルテレビジョン放送信号は、ＳＨＦアンテナ９０で受信され、図示しないＬＮＢ(low noise block)コンバータで１ＧＨｚ帯の中間周波信号に変換されて衛星デジタルチューナ９１に供給される。衛星デジタルチューナ９１では、入力された１ＧＨｚ帯の中間周波信号の中の所望のチャンネルすなわち周波数の信号が、ダイレクトコンバージョンにより、Ｉ信号とＱ信号に変換され、これらの信号はＱＰＳＫ復調部９２に供給されてＱＰＳＫ信号が復調され、ＭＰＥＧのトランスポートストリームＴＳ２が得られる。このトランスポートストリームＴＳ２は、切換部８５の他方の入力に供給される。
【００３３】
トランスポートストリーム用の切換部８５のトランスポートストリーム出力は、デマルチプレクサ８６に供給され、トランスポートストリームに時分割的に多重して含まれている映像データ、音声データ、放送データなどが分離される。
【００３４】
デマルチプレクサ８６で分離された映像データおよび音声データは、ＭＰＥＧデコーダ
８７に供給され、復号されて映像信号Ｓ３と音声信号Ｓ４が得られる。ＭＰＥＧデコーダ
８７からの映像信号Ｓ３は、映像用の切換部７６の他方の入力に供給され、音声信号Ｓ４は音声用の切換部７７の他方の入力に供給される。
【００３５】
なお、以下の説明においては、切換部７６と切換部７７を、映像／音声復調部７５の側に切り換えることをアナログ側に切り換えると称する。また、ＭＰＥＧデコーダ８７の側に切り換えることをデジタル側に切り換えると称する。
【００３６】
映像用の切換部７６の出力は、映像処理部７８に供給されて、所定の画像処理を受けてＣＲＴ（Cathode Ray Tube）、ＬＣＤ（Liquid Crystal Display）、ＰＤＰ（Plasma Display Panel）などの映像出力装置５２に供給される。また、音声用の切換部７７の出力は、音声処理部７９に供給されて、所定の音声処理を受けてスピーカなどの音声出力装置８３に供給される。
【００３７】
デマルチプレクサ８６で分離されたデータ放送用の放送データは、放送データ処理部８８に供給され、ユーザの指定に応じた所定の処理、例えばＥＰＧ表示処理等の処理を受ける。映像データ生成部８９には、放送データ処理部８８からの制御信号が供給され、映像データ生成部８９において、映像出力装置５２で所定の画像を表示させるための画像信号
が生成される。映像データ生成部８９からの画像信号は、映像処理部７８において、放送
信号の映像信号と合成される。
【００３８】
上記したデジタル放送受信装置全体の制御は、マイクロプロセッサ等により実現される制御部７２により行われる。図６に示す実施態様においては、制御部７２により、地上アナログ／デジタルチューナ７３、衛星デジタルチューナ９１、切換部７６、切換部７７および切換部８５の動作が制御されるようになっているが、図示されていないこれ以外の回路部分も制御部７２により制御される。
【００３９】
制御部７２には遠隔操作信号受信部８１が接続されており、遠隔操作信号送信器８０からの遠隔制御信号が遠隔操作信号受信部８１で受信されて、遠隔制御信号の内容が判別され、ユーザの指示に応じた制御が制御部７２で行われる。
【００４０】
制御部７２からは、地上アナログ／デジタルチューナ７３と衛星デジタルチューナ９１に対して選局データＳ５が供給され、チューナの切り換えとチャンネルの切り換えが行われる。
【００４１】
なお、選局データＳ５をセレクタ７１に供給して、選局データＳ５により受信チャンネルごとに２つのアンテナの受信感度に応じてどちらに給電したほうがよいかを指定してもよい。また、予め放送局によって２つのアンテナの何れかを使用したら良好な受信がされるかを設定することによって、受信可能な放送局に関して最適な受信状況とすることができる。
【００４２】
この発明は、この発明の要旨を逸脱しない範囲内でさまざまな変形や応用が可能であり、上述した一実施形態に限定されることはない。上述した一実施形態では、ループアンテナを用いたが、例えばスロットアンテナなどの他のアンテナを適用することもできる。また、ループアンテナはアンテナの利得を高くするために、丸い形状としているが、四角形等の形状にもすることができ、形状を変化させることにより、例えば薄型のテレビジョン受信装置に対してもこの発明を適用することができる。
【図面の簡単な説明】
【００４３】
【図１】テレビジョン放送における周波数帯を示す略線図である。
【図２】電波伝搬の一例を示す略線図である。
【図３】ＯＦＤＭにおける送信信号を示す略線図である。
【図４】この発明の一実施形態におけるループアンテナを示す図である。
【図５】この発明の一実施形態におけるテレビジョン受信装置を示す図である。
【図６】この発明の一実施形態におけるテレビジョン受信装置の構成を示すブロック図である。
【図７】アンテナからの出力信号を選択する構成の他の例を示すブロック図である。
【符号の説明】
【００４４】
３１、４１、４２    ループアンテナ
５１                テレビジョン受信装置
７１                セレクタ
７２                制御部
【図１】
2006060558.tif 000003
【図２】
2006060558.tif 000004
【図３】
2006060558.tif 000005
【図４】
2006060558.tif 000006
【図５】
2006060558.tif 000007
【図６】
2006060558.tif 000008
【図７】
2006060558.tif 000009